(57)【要約】【課題】機能モジュールを用いて日光による皮膚損傷を計測する。【解決手段】  ヒト皮膚の第一及び第二の領域の画像が得られ（Ｓ１、Ｓ３）、画像中、該ヒト皮膚の第一及び第二の領域の一つは、通常は太陽光線に暴露しない皮膚領域を有する。次に、画像を得た皮膚領域において、少なくとも一つの発色団の密度及び分布を測定するために画像は処理される（Ｓ２、Ｓ４）。次に、画像を得た前記皮膚領域中の発色団の密度及び分布の測定結果を用いて、皮膚損傷の相対的計測値を計算する（Ｓ５）。計算した皮膚領域の計測値は、同じ皮膚領域の発色団の分布に関して測定した共分散に基づいていると考えられる。暴露する皮膚領域と暴露しない皮膚領域の計測値の違いによって、日光による損傷の相対的な計測値が提供される。【選択図】    図３
2008116457.tif 000002
【特許請求の範囲】
【請求項１】
日光による損傷の計測値を得るための方法において、
一方の領域が通常は太陽光線に暴露しないヒト皮膚の領域であるヒト皮膚の第一及び第二の領域の画像を得ること（Ｓ１、Ｓ３）と、
該ヒト皮膚の該第一及び第二の領域における一又は複数の種類の発色団の密度及び分布を測定して測定結果を得るために前記画像を処理すること（Ｓ２、Ｓ４）と、
皮膚損傷の相対的計測値を得るために、前記ヒト皮膚の前記第一及び第二の領域における発色団の密度及び分布の前記測定結果を処理（Ｓ５）することとを含むことを特徴とする方法。
【請求項２】
皮膚損傷の相対的計測値を得るために、ヒト皮膚の前記第一及び第二の領域における発色団の密度及び分布の前記測定結果を処理することが、
前記ヒト皮膚の前記第一及び第二の領域中における一又は複数の種類の発色団の密度及び分布の共分散の計測値を計算することと、
前記ヒト皮膚の前記第一及び第二の領域における一又は複数の種類の発色団の密度及び分布に関して計算した前記共分散を利用して皮膚損傷の相対的計測値を得ることとを含むことを特徴とする請求項１に記載の方法。
【請求項３】
共分散の計測値の計算が、画像を得て選択した皮膚の領域における発色団の密度の標準偏差を、前記一又は複数の種類の発色団の平均密度で割って測定することを含むことを特徴とする請求項２に記載の方法。
【請求項４】
共分散の計測値の計算が、
前記一又は複数の種類の発色団の平均密度が閾値を下回るか否かを測定することと、
発色団の前記平均密度が前記閾値を上回る場合には、画像を得て選択した皮膚の領域における発色団の密度の標準偏差を、前記発色団の平均密度で割って測定することと、
前記平均密度が前記閾値を下回る場合には、画像を得て選択した前記皮膚の領域における発色団の密度の標準偏差を、所定の値で割って測定することとを含むことを特徴とする請求項３に記載の方法。
【請求項５】
計算した前記共分散を利用することが、
皮膚の領域における損傷の計測値を得るために、皮膚の領域に関して計算した前記共分散を合計することと、
通常は太陽光線に暴露しない前記ヒト皮膚の前記領域における損傷の計測値に相対的な皮膚損傷計測値を得るために、前記ヒト皮膚の前記第一及び第二の領域に関して得られた損傷計測値を利用することを含むことを特徴とし、
前記一又は複数の種類の発色団が複数の発色団を含むことを特徴とする請求項３又は４に記載の方法。
【請求項６】
計算した前記共分散を合計することが、各々がスケールファクターによって測定された前記共分散を合計することを含むことを特徴とする請求項５に記載の方法。
【請求項７】
計算した前記共分散を合計することが、前記共分散の絶対値を合計することを含むことを特徴とする請求項５又は６に記載の方法。
【請求項８】
得られた前記相対的な皮膚損傷計測値を出力することを更に含むことを特徴とする請求項１〜７のいずれかに記載の方法。
【請求項９】
得られた前記相対的な皮膚損傷計測値を出力することが、得られた前記相対的な皮膚損傷計測値を指し示すスライダーを含む表示を作成して出力することを含むことを特徴とする請求項８に記載の方法。
【請求項１０】
作成した前記表示が、前記ヒト皮膚の前記第一及び第二の領域の少なくとも一つにおける一又は複数の種類の発色団の密度及び分布の前記測定結果を表すことを含むことを特徴とする請求項９に記載の方法。
【請求項１１】
前記一又は複数の種類の発色団がヘモグロビンを含むことを特徴とする請求項１〜１０のいずれかに記載の方法。
【請求項１２】
前記一又は複数の種類の発色団がメラニンを含むことを特徴とする請求項１〜１１のいずれかに記載の方法。
【請求項１３】
前記一又は複数の種類の発色団がコラーゲンを含むことを特徴とする請求項１〜１２のいずれかに記載の方法。
【請求項１４】
日光による損傷の計測値を得るための装置において、
ヒト皮膚の第一及び第二の領域の画像を得るための平均値であって、該ヒト皮膚の該第一及び第二の領域の一方の領域が通常は太陽光線に暴露しない領域を含むことを特徴とする平均値（１、２２）と、
前記ヒト皮膚の前記第一及び第二の領域における一又は複数の種類の発色団の密度及び分布を測定するために、得られた画像を処理するための平均値（１０）と、
前記ヒト皮膚の前記第一及び第二の領域における発色団の密度及び分布の測定結果に基づいた皮膚損傷の相対的計測値を得るための平均値（１４）とを含むことを特徴とする装置。
【請求項１５】
皮膚損傷の相対的計測値を得るための前記平均値が、
前記ヒト皮膚の前記第一及び第二の領域における一又は複数の種類の発色団の密度及び分布の測定結果の共分散の計測値を計算することと、
前記ヒト皮膚の前記第一及び第二の領域における一又は複数の種類の発色団の密度及び分布に関して計算した共分散を利用して皮膚損傷の相対的計測値を得ることが可能であることを特徴とする請求項１４に記載の装置。
【請求項１６】
共分散の計測値の計算が、画像を得て選択した皮膚の領域における発色団の密度の標準偏差を、前記一又は複数の種類の発色団の平均密度で割って測定することを含むことを特徴とする請求項１５に記載の装置。
【請求項１７】
共分散の計測値の計算が、
前記一又は複数の種類の発色団の平均密度が閾値を下回るか否かを測定することと、
発色団の前記平均密度が前記閾値を上回る場合には、画像を得て選択した皮膚の領域における発色団の密度の標準偏差を、前記発色団の平均密度で割って測定することと、
前記平均密度が前記閾値を下回る場合には、画像を得て選択した前記皮膚の領域における発色団の密度の標準偏差を、所定の値で割って測定することとを含むことを特徴とする請求項１６に記載の装置。
【請求項１８】
前記ヒト皮膚の前記第一及び第二の領域における一又は複数の種類の発色団の密度及び分布を測定するために、得られた画像を処理するための平均値（１０）が、複数の発色団の密度及び分布を測定可能であることと、
相対的な皮膚損傷計測値を得るための前記平均値が、
皮膚領域の損傷計測値を得るために複数の発色団に関して計算した共分散を合計することと、
通常は太陽光線に暴露しない前記ヒト皮膚の領域の損傷計測値に相対的な皮膚損傷計測値を得るために、前記ヒト皮膚の前記第一及び第二の領域に関して得られた損傷計測値を利用することとが可能であることを特徴とする請求項１６又は１７に記載の装置。
【請求項１９】
計算した前記共分散を合計することが、各々がスケールファクターによって測定された共分散を合計することを含むことを特徴とする請求項１８に記載の装置。
【請求項２０】
計算した前記共分散を合計することが、前記共分散の絶対値を合計することを含むことを特徴とする請求項１８又は１９に記載の装置。
【請求項２１】
得られた前記相対的な皮膚損傷計測値を出力するための平均値を更に含むことを特徴とする請求項１４〜２０のいずれかに記載の装置。
【請求項２２】
得られた前記相対的な皮膚損傷計測値を出力する前記平均値が、得られた前記相対的な皮膚損傷計測値を指し示すスライダーを含む表示を作成して出力することが可能であることを特徴とする請求項２１に記載の装置。
【請求項２３】
作成した前記表示が、前記ヒト皮膚の前記第一及び第二の領域の少なくとも一つにおける一又は複数の種類の発色団の密度及び分布の前記測定結果を表すことを含むことを特徴とする請求項２２に記載の装置。
【請求項２４】
処理を行うための前記平均値（１０）が、前記ヒト皮膚の前記第一及び第二の領域におけるヘモグロビンの密度及び分布を測定可能であることを特徴とする請求項１４〜２３のいずれかに記載の装置。
【請求項２５】
処理を行うための前記平均値（１０）が、前記ヒト皮膚の前記第一及び第二の領域におけるメラニンの密度及び分布を測定可能であることを特徴とする請求項１４〜２４のいずれかに記載の装置。
【請求項２６】
処理を行うための前記平均値（１０）が、前記ヒト皮膚の前記第一及び第二の領域におけるコラーゲンの密度及び分布を測定可能であることを特徴とする請求項１４〜２５のいずれかに記載の装置。
【請求項２７】
プログラム可能なコンピューターに、請求項１〜１３に記載の方法を実行させることが可能なコンピューター実装可能命令を蓄積する記憶媒体。
【請求項２８】
コンピューターディスクを含むことを特徴とする請求項２７に記載の記憶媒体。
【請求項２９】
通信ネットワーク内の電気信号を含むことを特徴とする請求項２７に記載の記憶媒体。
【発明の詳細な説明】
【技術分野】
【０００１】
本発明は、皮膚損傷の計測値を得るための方法に関する。本発明の実施形態は、主に日光暴露によって生じたと考えられる皮膚損傷の計測値を得ることに関する。
【背景技術】
【０００２】
人間の皮膚の外観は、発色団として知られる３種類の光吸収分子であるメラニン、ヘモグロビン、コラーゲンの密度と分布によって主に決められる。メラニンは皮膚を茶色にし、ヘモグロビンは赤/ピンクにし、コラーゲンは皮膚内部で反射される光の量に影響を与える。皮膚が古くなると、皮膚内部のメラニン、ヘモグロビン、コラーゲンの分布に斑が生じて、皮膚の外観に変化が生じてくる。
【０００３】
皮膚試料の相対的な外観を分類することは有益であると考えられる。従来技術では、この目的を達成するために、何らかの方法によってランク付けされた皮膚試料画像のデータベースを備えたシステムがある。ヒト皮膚を試料として使用し、データベースと比較する。その後、データベース内の皮膚試料で、試料として使用した領域と外観が最もよく似ているものの外観のランクを示すスコアを出力する。こうして得られた皮膚のスコアは、例えば、皮膚試料の見た目年齢を判断するために利用することができる。また、化粧品の存在下及び非存在下における皮膚試料のスコアを比較することで、化粧品の有効性を判断することができる。
【０００４】
既存の皮膚損傷計測システムについては、様々な皮膚試料の外観を含んだ代表的なデータベースを入手しなければならないことが問題であった。データベースが小規模であると、皮膚を正確に計測することはできない。大規模なデータベースであっても、データベース内の皮膚試料が、母集団全体と比較し、どの程度代表的なものであるのかが懸念されていた。こうした理由のために、代用となるシステムが求められている。
【特許文献１】米国出願第０９/３１４７５１号
【特許文献２】米国出願第０９/７６０３８７号
【特許文献３】米国出願第１０/５２１６３８号
【特許文献４】米国出願第１０/５２３１５８号
【特許文献５】米国特許第６３２４４１７号
【発明の開示】
【発明の効果】
【０００５】
本発明の一態様によると、日光による損傷の計測値を得るための請求項１に記載の方法が提供される。
【０００６】
本発明の別の態様によると、日光による損傷の計測値を得るための請求項１４に記載の装置が提供される。添付図面を参照することで、本発明のその他の態様は明らかになる。
【発明を実施するための最良の形態】
【０００７】
具体的な実施形態
図１は、本発明の一実施形態を示す概略ブロック図である。この実施形態によれば、光源３によって照射されたヒト皮膚２の領域の画像を得るために配置されたデジタルカメラ１が提供される。この実施形態において、デジタルカメラ１は、試料として使用した皮膚領域の赤色、緑色、青色並びに赤外線画像を得ることができるデジタルカメラ部を有する。デジタルカメラ１により得られた画像は、ディスク５に設けられたソフトウェア、又は通信ネットワークを通じて電気信号６を受信することによるソフトウェアのいずれかによってデジタルカメラ１から受信した赤色、緑色、青色並びに赤外線画像データを処理することができる幾つかの機能モジュール１０、１２、１４を構成するコンピューター４に送信され、作成された出力画像は表示部２０に表示される。
【実施例１】
【０００８】
本実施形態において、機能モジュール１０、１２、１４は、デジタルカメラ１から得られた赤色、緑色、青色並びに赤外線画像データを発色団分布データに変換し、データストア１２に蓄積する処理モジュール１０、及び同一人物から２つの皮膚領域のデータを試料として使用して蓄積した際に、皮膚損傷スコアを生成するために、データストア１２に蓄積された発色団分布データを処理するために配置されたスコア計算モジュール１４を有する。次に、このスコア及び蓄積した発色団分布画像は、表示部２０に伝送され、使用者に向けて表示される。
【０００９】
光と皮膚との接触
コンピューター４の処理モジュール１０の詳細な処理及びスコア計算モジュール１４について説明する前に、図２を参照しながら皮膚の物理的構造及び光と皮膚との接触に関して簡単に説明する。
【００１０】
図２に示す通り、皮膚は、外側にある角質層５０、表皮５２、及び皮膚に供給される血液が流れる血管５５を含む真皮乳頭層５４と真皮網状層５６に分けられる真皮から成る層構造を備えている。
【００１１】
皮膚に光が入射する際、そのほとんどが外側の角質層５０と接触する際に即座に反射される。しかし、入射光の一部は外側の角質層５０を通過して、更に進行して表皮５２並びに真皮乳頭層５４の構成成分と接触する。
【００１２】
表皮５２及び真皮乳頭層５４を通過する際、光は皮膚の中に存在する種々の発色団に吸収される。真皮乳頭層５４内の血管５５の血液に存在するヘモグロビン、表皮５２内のメラニン細胞５７によって生成される色素であるメラニン、皮膚層全域に存在する繊維性物質であるコラーゲン等が最も代表的な発色団である。入射光が真皮網状層５６に達する時点までには、光の散乱がかなり進行するため、真皮網状層５６は全く光を反射しないと考えられる。
【００１３】
表皮５２内及び真皮乳頭層５４に存在する発色団が様々な波長を吸収する以外にも、とりわけコラーゲン５８といった皮膚内にある特定の構造が入射光を反射させる。それゆえ、角質層５０によって即座に反射された光と、表皮５２及び真皮乳頭層５４に存在する発色団と接触して放出された光が混ざり合ったものが皮膚の外観となると考えられる。
【００１４】
表皮５２及び真皮乳頭層５４中の発色団の密度と分布の計測値を得るためには、角質層５０による直接的な光の反射の影響を除外する必要がある。こうすることで、表皮５２及び真皮乳頭層５４中の発色団と接触して放出される光を計測することができる。
【００１５】
再び図１を参照する。この実施形態において、デジタルカメラ１のレンズの前には第一の偏光フィルター２２が設けられ、光源３の前には、第一の偏光フィルター２２と交差偏光を生じる第二の偏光フィルター２４が設けられている。光とコラーゲンとの接触には、光の偏光を損失させること等があるので、これら第一及び第二の偏光フィルター２２、２４を設けることで、光源３から放たれて、第二の偏光フィルター２４を通過し、角質層５０に反射されて皮膚のその他の層とは接触しない光は、第一の偏光フィルター２２によって除去される。その結果、デジタルカメラ１によって得られた画像データには、ヒト皮膚の表皮５２並びに真皮乳頭層５４の構造と接触する光のみが表される。
【実施例２】
【００１６】
皮膚損傷の計測値を得るための処理
本発明の一実施形態に基づく方法のフロー図である図３を参照する。始め（Ｓ１）に、デジタルカメラ１によって、光源３によって照射されているヒト皮膚２の第一の領域の画像が得られる。
【００１７】
この実施形態において、デジタルカメラ１によって作成された画像データは、広範囲な画素を得るために０から２５５の赤色、緑色、青色並びに赤外線の数値を有し、この範囲において、赤色、緑色、青色並びに赤外線の数値は、各画素がそれぞれ赤色、緑色、青色並びに赤外線として現れてくる画像に関して、デジタルカメラ１のフォトレセプターが受ける光の程度を示す。それ故に、例えば、冷たく光る純黒色の画素では赤色、緑色、青色並びに赤外線の数値が０、０、０、０となり、放熱しているような鮮やかな純白色をした画素は、数値が２５５、２５５、２５５、２５５となる。
【００１８】
本発明のこの態様において、試料として使用するヒト皮膚２の第一の領域は、通常は太陽光線に暴露しない領域である。それ故に、低暴露の皮膚領域の試料として適している部位は、人間の内腕の皮膚領域と言える。
【００１９】
デジタルカメラ１によって得られた第一の皮膚領域の画像は、処理モジュール１０に移され、そこで赤色、緑色、青色並びに赤外線画像データを画素毎で発色団分布データに変換する（Ｓ２）。処理モジュール１０は、画像中において一定の皮膚領域で特定の外観を生じさせる種々の発色団の見掛け上の密度を画素毎で識別する。赤色、緑色、青色並びに赤外線の数値から発色団の計測値を得るために行われる処理は、本願出願人の先願である特許文献１〜５で論じられたようなものである。
【００２０】
この実施形態において、処理モジュール１０は、赤色、緑色、青色並びに赤外線画像データを処理して３つの発色団分布データを作成するためのものである。第一の発色団分布データは、試料として使用された皮膚領域における血液の分布と濃度を示す画像である。第二の発色団分布データは、試料として使用された皮膚領域におけるメラニンの分布と密度を示す画像であり、第三の発色団分布データは、試料として使用された皮膚領域におけるコラーゲンの密度と分布を示す画像である。
【００２１】
第一の皮膚領域における発色団の計測値を得た後には、デジタルカメラ１を用いて第二の皮膚領域を表す第二の画像（Ｓ３）が得られる。第一の皮膚領域とは反対に、第二の皮膚領域としては、太陽光線への暴露の度合いが高い領域を選択する（例：顔面の一部）。この第二の画像は、発色団分布データを更に作成するために、以前説明したものと似た方法で処理される（Ｓ４）。作成された発色団分布データは、血液、メラニン並びにコラーゲンの分布を識別し、同様にデータストア１２に蓄積される。
【００２２】
この段階では、６つの発色団データがデータストア１２に蓄積される。これらの発色団データは、通常は暴露しない皮膚と血液の領域である第一の皮膚領域における血液、メラニン、コラーゲンの分布データ、及び暴露する第二の皮膚領域における血液、メラニン、コラーゲンの分布データから成る。各々の発色団分布データは、画像の画素が０から２５５の数値で表される皮膚試料のモノクロ画像から成り、画像中、低い数値で表される画素は、発色団の密度が高いことを示し、高い数値で表される画素は発色団の密度が低いことを示す。
【００２３】
以下で説明するように、次にスコア計算モジュール１４（Ｓ５）は、この蓄積されたデータを処理して皮膚損傷の計測を行う。
【００２４】
この実施形態において、計算された皮膚損傷のスコアは、皮膚試料内部における発色団分布の相対的な異常を示す数値である。通常、新しい皮膚において、発色団は皮膚内部に比較的均一に分布している。通例として太陽光線への暴露によって皮膚が古くなると、発色団の分布に異常が増えてくる。内腕の皮膚領域を例とする、通常では太陽光線に暴露しない皮膚領域ではこの過程は比較的ゆっくりと発生するため、通常では太陽光線に暴露しない皮膚領域と、太陽光線への暴露の度合いが高い領域を比較することで皮膚損傷の数値を得ることができる。
【００２５】
この実施形態において、暴露する皮膚領域における発色団分布の共分散の計測値(covariance measure)の和と比較した暴露しない皮膚領域における発色団分布の共分散の計測値の和に基づいた数値を計算することで、数値の取得は達成される。
【００２６】
すなわち、各々の皮膚試料に対して、以下の計測値を計算する。
2008116457.tif 000003
式中、Abs()は絶対値関数で、Std()は標準偏差関数で、Mean()は平均値関数で、Blood、Melanin、Collagenは、試料として使用した皮膚領域における血液、メラニン、コラーゲンのそれぞれの発色団分布画像データである。
【００２７】
通常、血管の共分散は太陽光線への暴露に伴い増加するため、血液中には正の共分散が生じる。例えば色素が脱失した領域の画像が映し出される場合、メラニンの共分散が負になることがある。通常そのような領域は、特発性滴状色素減少症（Guttate Idiopathic Hypomelanosis）と呼ばれるそばかすとは真逆の症状である。こうした負の共分散でも損傷を示し、正の共分散と考えるべきであるため、好適には、絶対的な正の共分散の値は、損傷の計測値を計算する際に定められて使用される。それ故に、共分散の和を計算する際には、計算した発色団分布の共分散の絶対値の和を測定するのが好適である。
【００２８】
２つの試料領域において２つの計測値を用いることで、最終的に、相対的な皮膚損傷計測値を計算することができる。それ故に、暴露する皮膚領域の皮膚損傷の計測値は、暴露する皮膚試料と暴露しない皮膚試料に関して計算した共分散の計測値との差を用いて測定することができる。異なる発色団の分布を示す画像データ、及び数値又はスライダー等の形式で画面に表示される皮膚損傷値を作成して表示部２０に送ることができる。
【００２９】
更なる実施形態及び変形
上記のシステムにおいて、皮膚損傷の計測値を、３種類の発色団の分布及び密度の共分散を計算した結果に基づいて説明してきたが、他の種類数の発色団に基づく計測値も使用できることを理解されたい。
【００３０】
特に、血液及びメラニンの分布のみに基づいた共分散の計算結果も利用できることを理解されたい。このような計測値の利点は、皮膚の計測値を計算する際に、照明及び皮膚表面の外面的形態による変化を取り除くために計測機とヒト皮膚を直に接触させなくても画像を処理できることである。また、上記の実施形態で説明した赤色、緑色、青色並びに赤外線画像の代わりに、従来の赤色、緑色、青色の画像データを処理することでも血液及びメラニンの計測値を得ることができる。それ故に、赤色、緑色、青色並びに赤外線画像を得るために配置したカメラの代わりに、従来のカラーデジタルカメラを使用しても皮膚試料の画像を得ることができる。
【００３１】
また、出力された皮膚損傷の計測値を計算するために異なる関数を使用できることを理解されたい。それ故に、例えば、異なる発色団の共分散の相対的な影響を増加又は低下させために、種々の発色団の共分散に因る計測値への影響を測定することもできる。
【００３２】
更に、実際には皮膚試料を表していない共分散を避けるためには、種々の前処理工程を行うこともできる。それ故に、例えば、画像全体に関して測定した平均値及び標準偏差を利用する代わりに共分散を計算する際には、例えば皮膚試料を表していない可能性がある画像の端部領域を避けるために、画像中の選択された部分を利用することもできる。更に、画像の平均値が非常に低い場合の歪み効果を避けるために、計算した平均値が一定の限界値を下回る画像の場合、共分散値を計算する際、平均値の代わりに、最小値をあらかじめ決定し利用することもできる。
【００３３】
表示するスコアを計算する際、測定されるスコアは、最大値と最小値の間の値となってもよく、最大値と最小値は計算した皮膚試料の最大値及び最小値を表す。
【００３４】
図面を参照して説明した本発明の実施形態は、コンピューター装置及びコンピューター装置内で行われる処理を有するが、本発明はコンピュータープログラム、特に、本発明を実施するようになされた担体上又は担体内のコンピュータープログラムに関する。コンピュータープログラムは、ソースコード又はオブジェクトコードの形式、又は本発明の処理を実行する際の使用に適した他の如何なる形式でよい。担体は、プログラムを媒介することができる如何なる実体又は装置でよい。
【００３５】
担体は、例えば、ＣＤ−ＲＯＭ又は半導体ＲＯＭといったＲＯＭ等の記憶媒体、又は、フロッピーディスク（登録商標）又はハードディスクを例とした磁気記録媒体を有することが可能である。更に、担体は、ケーブル又は光ケーブルを介する、もしくは無線又はその他の手段によって搬送される電気信号又は光信号といった伝送可能な担体であってよい。
【００３６】
プログラムがケーブル又はその他の装置又は手段によって直接的に搬送が可能な信号に組み込まれる場合、担体は、このようなケーブル又はその他の装置又は手段によって構成されることが可能である。
【００３７】
担体は、あるいはプログラムが組み込まれた集積回路であってもよく、集積回路は関連する処理を行う又は行う際に使用されるようになされている。
【図面の簡単な説明】
【００３８】
【図１】は、本発明の一実施形態に基づく装置の概略ブロック図である。
【図２】は、皮膚の構造及び、構造が入射光と接触する様子を示した皮膚層の概略横断面図である。
【図３】は、本発明の一実施形態に基づく皮膚損傷の計測方法のフロー図である。
【符号の説明】
【００３９】
１  デジタルカメラ
２  ヒト皮膚
３  光源
４  コンピューター
５  ディスク
６  電気信号
１０  処理モジュール
１２  データストア
１４  スコア計算モジュール
２０  表示部
２２  第一の偏光フィルター
２４  第二の偏光フィルター
５０  角質層
５２  表皮
５４  真皮乳頭層
５５  血管
５６  真皮網状層
５７  メラニン細胞
５８  コラーゲン
【図１】
2008116457.tif 000004
【図２】
2008116457.tif 000005
【図３】
2008116457.tif 000006